(57)【要約】【課題】  従来のＰｒｏｐｏｒｔｉｏｎａｌ  Ｆａｉｒｎｅｓｓスケジューラを動作させつつ、時間的な公平性を実現することができるパケット送信制御装置を提供する。【解決手段】  本発明は、複数の移動局に対するパケットの送信制御を行うパケット送信制御装置に関する。本発明に係るパケット送信制御装置は、所定期間において各移動局＃ｎに対してパケットがスケジューリングされた頻度を示すスケジューリング頻度ｆｎを取得する取得部１６０と、取得された前記スケジューリング頻度ｆｎに基づいて、各移動局＃ｎに対するパケットのスケジューリングを制御するスケジューリング部１４０、１９０とを具備することを要旨とする。【選択図】  図４
2005191745.tif 000002
【特許請求の範囲】
【請求項１】
複数の移動局に対するパケットの送信制御を行うパケット送信制御装置であって、
所定期間において各移動局に対してパケットがスケジューリングされた頻度を示すスケジューリング頻度を取得する取得部と、
取得された前記スケジューリング頻度に基づいて、各移動局に対するパケットのスケジューリングを制御するスケジューリング部とを具備することを特徴とするパケット送信制御装置。
【請求項２】
前記スケジューリング部は、前記複数の移動局間の前記スケジューリング頻度の平均値と前記スケジューリング頻度とに基づいて、各移動局に対するパケットのスケジューリングを制御することを特徴とする請求項１に記載のパケット送信制御装置。
【請求項３】
前記スケジューリング部は、前記移動局に対してパケットをスケジューリングする機会の公平性を制御するための第１のパラメータと、前記スケジューリング頻度と、前記平均値とに基づいて、各移動局に対するパケットのスケジューリングを制御することを特徴とする請求項２に記載のパケット送信制御装置。
【請求項４】
前記スケジューリング部は、前記第１のパラメータγと前記スケジューリング頻度ｆｎと前記平均値Ｆとを用いて、Ｃｎ＝ｅｘｐ（−γ・（ｆｎ−Ｆ））に従って算出される評価関数Ｃｎが最大となる移動局＃ｎに対してパケットをスケジューリングすることを特徴とする請求項３に記載のパケット送信制御装置。
【請求項５】
前記取得部は、前記移動局＃ｎとの間の無線状態Ｒｎと、前記移動局＃ｎに対するパケットの平均伝送速度
【数１】
2005191745.tif 000024
とを取得し、
前記スケジューリング部は、前記第１のパラメータγと、前記スケジューリング頻度ｆｎと、前記平均値Ｆと、前記移動局＃ｎとの間の無線状態Ｒｎと、前記移動局＃ｎに対するパケットの平均伝送速度
【数２】
2005191745.tif 000025
と、所定のパラメータα、βとを用いて、
【数３】
2005191745.tif 000026
に従って算出される評価関数Ｃｎが最大となる移動局＃ｎに対してパケットをスケジューリングすることを特徴とする請求項３に記載のパケット送信制御装置。
【請求項６】
前記スケジューリング部は、前記移動局ごとに前記パケットの送信に係る優先度クラスを管理しており、前記優先度ごとに各移動局に対するパケットのスケジューリングを制御することを特徴とする請求項１に記載のパケット送信制御装置。
【請求項７】
前記スケジューリング部は、前記移動局＃ｎに係る前記優先度クラスＰＣｎに応じた重み係数ＡＰＣｎと、前記スケジューリング頻度ｆｎと、前記スケジューリング頻度の平均値ＦＰＣｎと、前記移動局＃ｎに対してパケットをスケジューリングする機会の公平性を制御するための第１のパラメータγＰＣｎとを用いて、Ｃｎ＝ＡＰＣｎ・ｅｘｐ（−γＰＣｎ・（ｆｎ−ＦＰＣｎ））に従って算出される評価関数Ｃｎが最大となる移動局＃ｎに対してパケットをスケジューリングすることを特徴とする請求項６に記載のパケット送信制御装置。
【請求項８】
前記取得部は、前記移動局＃ｎとの間の無線状態Ｒｎと、前記移動局＃ｎに対するパケットの平均伝送速度
【数４】
2005191745.tif 000027
とを取得し、
前記スケジューリング部は、前記移動局＃ｎに係る前記優先度クラスＰＣｎに応じた重み係数ＡＰＣｎと、前記スケジューリング頻度ｆｎと、前記スケジューリング頻度の平均値ＦＰＣｎと、前記移動局＃ｎに対してパケットをスケジューリングする機会の公平性を制御するための第１のパラメータγＰＣｎと、前記移動局＃ｎとの間の無線状態Ｒｎと、前記移動局＃ｎに対するパケットの平均伝送速度
【数５】
2005191745.tif 000028
と、所定のパラメータα、βとを用いて、
【数６】
2005191745.tif 000029
に従って算出される評価関数Ｃｎが最大となる移動局＃ｎに対してパケットをスケジューリングすることを特徴とする請求項６に記載のパケット送信制御装置。
【請求項９】
前記第１のパラメータは、サービス種別ごとに、契約種別ごとに、端末種別ごとに、セル種別ごとに、又は優先クラスごとに設定されることを特徴とする請求項７又は８に記載のパケット送信制御装置。
【請求項１０】
前記移動局＃ｎに係る時刻ｔにおける前記スケジューリング頻度ｆｎ（ｔ）は、時刻ｔにおいて移動局＃ｎに対してパケットがスケジューリングされたか否かを示す判定値Ａｌｎ（ｔ）と忘却係数τを用いて、ｆｎ（ｔ）＝τ・ｆｎ（ｔ−１）＋（１−τ）・Ａｌｎ（ｔ）に従って算出されることを特徴とする請求項１に記載のパケット送信制御装置。
【請求項１１】
複数の移動局に対するパケットの送信制御を行うパケット送信制御方法であって、
所定期間において各移動局に対してパケットがスケジューリングされた頻度を示すスケジューリング頻度を取得する工程と、
取得された前記スケジューリング頻度に基づいて、各移動局に対するパケットのスケジューリングを制御する工程とを有することを特徴とするパケット送信制御方法。
【発明の詳細な説明】
【技術分野】
【０００１】
本発明は、複数の移動局に対するパケットの送信制御を行うパケット送信制御装置及びパケット制御方法に関する。特に、本発明は、移動通信システムにおける下りパケットの送信制御（スケジューリング）を行うパケット送信制御装置及びパケット送信制御方法に関する。
【背景技術】
【０００２】
移動通信システムの下りリンクでは、無線基地局が、当該無線基地局に属する移動局との間で、１つの物理チャネルを共有している場合がある。以下、この時に用いられる物理チャネルを「下り共有チャネル」と呼ぶ。
【０００３】
かかる下り共有チャネルにおいては、無線基地局が、通信相手である複数の移動局に対するパケット送信順序を、各移動局との間の瞬時の無線品質に基づいて制御することによって、当該無線基地局で提供できるスループット、いわゆるシステム収容能力を高めることができる。
【０００４】
このような無線基地局によるパケットの送信順序の制御は「スケジューリング」と呼ばれており、かかるスケジューリングをパケット伝送に適用することで、通信容量が増大し、あるいは通信品質が向上することが知られている（例えば、非特許文献１参照）。
【０００５】
また、一般的に、従来のスケジューリングにおいて対象となるパケットは、伝送遅延に対する要求条件がさほど厳しくないことを前提として考えられていた。
【０００６】
ところで、第３世代移動通信システム、いわゆるＩＭＴ−２０００の標準化については、地域標準化機関等により組織された「３ＧＰＰ/３ＧＰＰ２（Ｔｈｉｒｄ-Ｇｅｎｅｒａｔｉｏｎ  Ｐａｒｔｎｅｒｓｈｉｐ  Ｐｒｏｊｅｃｔ/Ｔｈｉｒｄ-Ｇｅｎｅｒａｔｉｏｎ  Ｐａｒｔｎｅｒｓｈｉｐ  Ｐｒｏｊｅｃｔ  ２）」において、３ＧＰＰでは「Ｗ-ＣＤＭＡ方式」として、３ＧＰＰ２では「ｃｄｍａ２０００方式」として、標準仕様の策定作業がなされている。
【０００７】
３ＧＰＰでは、近年のインターネットの急速な普及に伴い、特に下りリンクにおいて、データベースやＷｅｂサイトからのダウンロード等による高速・大容量のトラヒックが増加するとの予測に基づき下り方向の高速パケット伝送方式である「ＨＳＤＰＡ（Ｈｉｇｈ  Ｓｐｅｅｄ  Ｄｏｗｎｌｉｎｋ  Ｐａｃｋｅｔ  Ａｃｃｅｓｓ）」の標準化が行われている（例えば、非特許文献２参照）。
【０００８】
また、３ＧＰＰ２でも、上記同様の観点から下り方向の高速データ専用の伝送方式「１ｘ-ＥＶ  ＤＯ」の標準化が行われている（例えば、非特許文献３参照）。なお、ｃｄｍａ２０００方式の「１ｘ-ＥＶ  ＤＯ」において、「ＤＯ」は、Ｄａｔｅ  Ｏｎｌｙの意味である。
【０００９】
例えば、ＨＳＤＰＡでは、移動局と無線基地局との間の無線状態に応じて無線チャネルの変調方式や符号化率を制御する方式（例えば、ＨＳＤＰＡでは、ＡＭＣＳ（Ａｄａｐｔｉｖｅ  Ｍｏｄｕｌａｔｉｏｎ  ａｎｄ  Ｃｏｄｉｎｇ  Ｓｃｈｅｍｅ）と呼ばれている）と、数ｍｓの周期で動作するスケジューリングとを組み合わせて用いることで、個々の移動局に対するスループット、及びシステム全体のスループットを向上させることができるようになっている。
【００１０】
無線基地局におけるスケジューリングアルゴリズムとして、無線基地局に属する移動局に対して、順番（例えば、移動局＃１→＃２→＃３→…）に下り共有チャネルを割り当てることによって、送信待ちパケットの送信順序を制御する「ラウンドロビンスケジューラ」が良く知られている。
【００１１】
また、無線基地局におけるスケジューリングアルゴリズムとして、各移動局の無線状態や各移動局の平均伝送速度に基づいて送信待ちパケットの送信順序を制御する「Ｐｒｏｐｏｒｔｉｏｎａｌ  Ｆａｉｒｎｅｓｓスケジューラ」や「ＭＡＸ  Ｃ/Ｉ（Ｍａｘｉｍｕｍ  Ｃ/Ｉ）スケジューラ」が知られている。
【００１２】
「Ｐｒｏｐｏｒｔｉｏｎａｌ  Ｆａｉｒｎｅｓｓスケジューリング」は、個々の移動局の下り回線状況の瞬時的な変動に応じて、送信キューの割り当てを行いつつ、各移動局間の公平性（Ｆａｉｒｎｅｓｓ）もサポートするスケジューリングアルゴリズムである。
【００１３】
以下、図９を参照して、Ｐｒｏｐｏｒｔｉｏｎａｌ  Ｆａｉｒｎｅｓｓスケジューリングに関する簡易な説明を行う。図９は、無線基地局に搭載されたＰｒｏｐｏｒｔｉｏｎａｌ  Ｆａｉｒｎｅｓｓスケジューラの動作を示すフローチャートである。
【００１４】
Ｐｒｏｐｏｒｔｉｏｎａｌ  Ｆａｉｒｎｅｓｓスケジューリングは、測定した各移動局との間の無線状態及び各移動局に対するパケットの平均伝送速度に基づいて、当該無線基地局に属する各移動局の評価関数を求め、当該評価関数を最大にする移動局に対して送信キューを割り当てるというものである。
【００１５】
図９に示すように、ステップＳ１００１において、無線基地局は、以下のように初期値を設定する。
【００１６】
ｎ＝１（ｎ：移動局の添え字）
Ｃｍａｘ＝０  （Ｃｍａｘ：評価関数の最大値）
ｎｍａｘ＝０  （ｎｍａｘ：評価関数の最大となる移動局の添え字）
ステップＳ１００２において、無線基地局は、評価関数の計算に必要な要素、具体的には、各移動局＃ｎとの間の瞬時の無線状態Ｒｎ、及び各移動局＃ｎに対するパケットの平均伝送速度
【数７】
2005191745.tif 000003
【００１７】
を測定する。
【００１８】
ステップＳ１００３において、無線基地局は、ステップＳ１００２で測定された値を用いて、次式に基づく評価関数Ｃｎを計算する。
【数８】
2005191745.tif 000004
【００１９】
ステップＳ１００４において、無線基地局は、ステップＳ１００３で計算された評価関数Ｃｎが、評価関数の最大値Ｃｍａｘを超えているかどうかを判定する。
【００２０】
ここでは、Ｃｍａｘ＝０であるので、ステップＳ１００４の判定がＹＥＳとなり、ステップＳ１００５において、無線基地局は、ステップＳ１００３で計算されたＣｎの値をＣｍａｘに設定すると共に、ｎｍａｘ＝１と設定する。
【００２１】
その後、無線基地局は、ステップＳ１００６において、ｎを＋１だけインクリメントし、ステップＳ１００７において、ｎがＮ（無線基地局と通信中の移動局数）を超えているか否かについて判定する。
【００２２】
ｎがＮを超えていない場合、本動作は、ステップＳ１００２乃至ステップＳ１００６までのステップを繰り返すことによって、Ｎ個の評価関数Ｃｎが順次求められる。
【００２３】
ステップＳ１００８において、無線基地局は、評価関数Ｃｎが最大となる移動局＃ｎｍａｘを選択して、当該移動局＃ｎｍａｘに対して送信キューを割り当てる。
【００２４】
Ｐｒｏｐｏｒｔｉｏｎａｌ  Ｆａｉｒｎｅｓｓスケジューラを搭載した無線基地局は、各移動局＃ｎに対して、下り回線品質（無線状態）が比較的良い状況で送信キューの割り当てを行うため、ラウンドロビンスケジューラを搭載した無線基地局と比較して、高いスループットを得ることが期待できる。
【００２５】
また、Ｐｒｏｐｏｒｔｉｏｎａｌ  Ｆａｉｒｎｅｓｓスケジューリングは、各移動局との間の無線状態を各移動局の平均伝送速度で除算することで、平均伝送速度が高い移動局の評価関数の値を下げるため、後述するＭＡＸ  Ｃ/Ｉスケジューリングに比べて、時間的な公平性の高い送信キューの割り当てを実現することができる。
【００２６】
一方、ＭＡＸ  Ｃ/Ｉスケジューリングは、無線基地局に属する移動局のうち、下り回線品質（無線状態）が最も高い移動局に対して送信キューの割り当てを行うスケジューリングアルゴリズムである。
【００２７】
すなわち、ＭＡＸ  Ｃ/Ｉスケジューリングは、Ｐｒｏｐｏｒｔｉｏｎａｌ  Ｆａｉｒｎｅｓｓスケジューラの処理における評価関数Ｃｎを「Ｃｎ＝Ｒｎ」とする以外は、Ｐｒｏｐｏｒｔｉｏｎａｌ  Ｆａｉｒｎｅｓｓスケジューラと同様の処理を行う。
【００２８】
ＭＡＸ  Ｃ/Ｉスケジューラの場合、スケジューリング周期の始めにおいて、下り回線品質の良い移動局に対して送信キューの割り当てが行われる。
【００２９】
通常、パケットの伝送速度は、回線品質に依存して高くなるため、ＭＡＸ  Ｃ/Ｉスケジューリングでは、最も伝送速度が高くなる移動局に対して送信機会を与える。
【００３０】
しかし、ＭＡＸ  Ｃ/Ｉスケジューラでは、無線基地局から遠い位置に存在する移動局など、平均的に下り回線品質が悪い移動局に対しては、ほとんど送信機会が与えられないため、各移動局で得られるスループットが極端に異なるという問題が生じる。
【００３１】
すなわち、ＭＡＸ  Ｃ／Ｉスケジューラの場合、無線基地局の近傍に存在する移動局は、極端に良いスループットを得ることができるが、それ以外の移動局は低いスループットとなるという状況が生じる。
【００３２】
従来の移動通信システムでは、上述のように、ラウンドロビンスケジューラや、Ｐｒｏｐｏｒｔｉｏｎａｌ  Ｆａｉｒｎｅｓｓスケジューラや、ＭＡＸ  Ｃ／Ｉスケジューリングを基に、提供するサービス種別及び当該サービス種別に係る優先度を考慮しながら、上述の評価関数Ｃｎを設定することにより、スケジューリングを行っていた。
【００３３】
一般的に、スケジューリングアルゴリズムは、「時間的な公平性」及び「ユーザダイバーシチゲインによる高いセルスループット」の２点を基準に評価される。
【００３４】
ここで、上述の３種類のスケジューラのうち、「時間的な公平性」及び「ユーザダイバーシチゲインによる高いセルスループット」を実現可能なＰｒｏｐｏｒｔｉｏｎａｌ  Ｆａｉｒｎｅｓｓスケジューラについて考える。
【００３５】
Ｐｒｏｐｏｒｔｉｏｎａｌ  Ｆａｉｒｎｅｓｓスケジューラは、分子が「移動局＃ｎに対するパケットの瞬時の伝送速度（移動局＃ｎとの間の瞬時の無線状態）」であり、分母が「移動局＃ｎに対するパケットの平均伝送速度」である評価関数
【数９】
2005191745.tif 000005
【００３６】
を用いるため、上述平均伝送速度に対して上述の瞬時の伝送速度が大きい移動局に対して、パケットをスケジューリングする確立が大きくなるように動作する。
【００３７】
したがって、平均伝送速度が大きい移動局であっても、平均伝速度が小さい移動局であっても、瞬時の無線品質がよい移動局に対して、パケットがスケジューリングされることになり、Ｐｒｏｐｏｒｔｉｏｎａｌ  Ｆａｉｒｎｅｓｓスケジューラは、「時間的な公平性」及び「ユーザダイバーシチゲインによる高いセルスループット」の両方を実現することができる。
【非特許文献１】Ｊ．Ｍ．Ｈｏｌｔｚｍａｎ、ＩＥＥＥ  ＶＴＣ２０００  Ｓｐｒｉｎｇ
【非特許文献２】３ＧＰＰ  ＴＲ２５．８４８  ｖ４．０．０
【非特許文献３】３ＧＰＰ２  Ｃ．Ｓ００２４  Ｒｅｖ．１．０．０
【発明の開示】
【発明が解決しようとする課題】
【００３８】
しかしながら、従来のＰｒｏｐｏｒｔｉｏｎａｌ  Ｆａｉｒｎｅｓｓスケジューラの動作は、全ての移動局の無線品質の変動が同等であるという前提にたっており、第１の移動局の無線品質は大きく変動し、第２の移動局の無線品質はほとんど変動しない場合には、第２の移動局の評価関数は常に小さいため、第２の移動局に対してパケットがスケジューリングされる可能性が低くなり、従来のＰｒｏｐｏｒｔｉｏｎａｌ  Ｆａｉｒｎｅｓｓスケジューラによって必ずしも時間的な公平性は提供されないという問題点があった。
【００３９】
すなわち、従来のＰｒｏｐｏｒｔｉｏｎａｌ  Ｆａｉｒｎｅｓｓスケジューラは、無線品質の変動が大きい移動局に対してパケットをスケジューリングし易くなり、無線品質の変動が小さい移動局に対してパケットをスケジューリングし難くなるという性質を有するため、必ずしも時間的な公平性を実現することができないという問題点があった。
【００４０】
例えば、全く同等の無線品質である２つの移動局が存在する場合であって、第１の移動局の無線品質の変動が大きく、第２の移動局の無線品質の変動が小さい場合には、従来のＰｒｏｐｏｒｔｉｏｎａｌ  Ｆａｉｒｎｅｓｓスケジューラは、第２の移動局に比べて第１の移動局に対してパケットをスケジューリングする確率が高く、その結果、時間的な公平性を実現することができない。
【００４１】
ここで、移動局の無線品質が変動しない場合とは、
・  移動局が静止している場合、
・  移動局がマルチパス環境にある場合（パスダイバーシチが存在する場合）、
・  移動局が受信ダイバーシチや等化器等を使用している場合
等が考えられる。
【００４２】
図１０を参照して、受信ダイバーシチを使用する移動局の無線品質の変動が小さくなることを説明する。図１０に示すように、互いに無相関に変動する無線品質は、受信ダイバーシチを使用する移動局によって合成されて、変動の小さい無線品質となる。
【００４３】
そこで、本発明は、以上の点に鑑みてなされたもので、従来のＰｒｏｐｏｒｔｉｏｎａｌ  Ｆａｉｒｎｅｓｓスケジューラを動作させつつ、時間的な公平性を実現することができるパケット送信制御装置及びパケット送信制御方法を提供することを目的とする。
【課題を解決するための手段】
【００４４】
本発明の第１の特徴は、複数の移動局に対するパケットの送信制御を行うパケット送信制御装置であって、所定期間において各移動局に対してパケットがスケジューリングされた頻度を示すスケジューリング頻度を取得する取得部と、取得された前記スケジューリング頻度に基づいて、各移動局に対するパケットのスケジューリングを制御するスケジューリング部とを具備することを要旨とする。
【００４５】
かかる発明によれば、スケジューリング部が、無線品質の変動の大小に関わらず、所定期間において各移動局に対してパケットがスケジューリングされた頻度を示すスケジューリング頻度に基づいて、各移動局に対するパケットのスケジューリングを制御するため、従来のＰｒｏｐｏｒｔｉｏｎａｌ  Ｆａｉｒｎｅｓｓスケジューラを動作させつつ、時間的な公平性を実現することができる。
【００４６】
本発明の第１の特徴において、前記スケジューリング部が、前記複数の移動局間の前記スケジューリング頻度の平均値と前記スケジューリング頻度とに基づいて、各移動局に対するパケットのスケジューリングを制御するように構成されていてもよい。
【００４７】
本発明の第１の特徴において、前記スケジューリング部が、前記移動局に対してパケットをスケジューリングする機会の公平性を制御するための第１のパラメータと、前記スケジューリング頻度と、前記平均値とに基づいて、各移動局に対するパケットのスケジューリングを制御するように構成されていてもよい。
【００４８】
本発明の第１の特徴において、前記スケジューリング部が、前記第１のパラメータγと前記スケジューリング頻度ｆｎと前記平均値Ｆとを用いて、Ｃｎ＝ｅｘｐ（−γ・（ｆｎ−Ｆ））に従って算出される評価関数Ｃｎが最大となる移動局＃ｎに対してパケットをスケジューリングするように構成されていてもよい。
【００４９】
本発明の第１の特徴において、前記取得部が、前記移動局＃ｎとの間の無線状態Ｒｎと、前記移動局＃ｎに対するパケットの平均伝送速度
【数１０】
2005191745.tif 000006
【００５０】
とを取得し、前記スケジューリング部が、前記第１のパラメータγと、前記スケジューリング頻度ｆｎと、前記平均値Ｆと、前記移動局＃ｎとの間の無線状態Ｒｎと、前記移動局＃ｎに対するパケットの平均伝送速度
【数１１】
2005191745.tif 000007
【００５１】
と、所定のパラメータα、βとを用いて、
【数１２】
2005191745.tif 000008
【００５２】
に従って算出される評価関数Ｃｎが最大となる移動局＃ｎに対してパケットをスケジューリングするように構成されていてもよい。
【００５３】
本発明の第１の特徴において、前記スケジューリング部が、前記移動局ごとに前記パケットの送信に係る優先度クラスを管理しており、前記優先度ごとに各移動局に対するパケットのスケジューリングを制御するように構成されていてもよい。
【００５４】
本発明の第１の特徴において、前記スケジューリング部が、前記移動局＃ｎに係る前記優先度クラスＰＣｎに応じた重み係数ＡＰＣｎと、前記スケジューリング頻度ｆｎと、前記スケジューリング頻度の平均値ＦＰＣｎと、前記移動局＃ｎに対してパケットをスケジューリングする機会の公平性を制御するための第１のパラメータγＰＣｎとを用いて、Ｃｎ＝ＡＰＣｎ・ｅｘｐ（−γＰＣｎ・（ｆｎ−ＦＰＣｎ））に従って算出される評価関数Ｃｎが最大となる移動局＃ｎに対してパケットをスケジューリングするように構成されていてもよい。
【００５５】
本発明の第１の特徴において、前記取得部が、前記移動局＃ｎとの間の無線状態Ｒｎと、前記移動局＃ｎに対するパケットの平均伝送速度
【数１３】
2005191745.tif 000009
【００５６】
とを取得し、前記スケジューリング部が、前記移動局＃ｎに係る前記優先度クラスＰＣｎに応じた重み係数ＡＰＣｎと、前記スケジューリング頻度ｆｎと、前記スケジューリング頻度の平均値ＦＰＣｎと、前記移動局＃ｎに対してパケットをスケジューリングする機会の公平性を制御するための第１のパラメータγＰＣｎと、前記移動局＃ｎとの間の無線状態Ｒｎと、前記移動局＃ｎに対するパケットの平均伝送速度
【数１４】
2005191745.tif 000010
【００５７】
と、所定のパラメータα、βとを用いて、
【数１５】
2005191745.tif 000011
【００５８】
に従って算出される評価関数Ｃｎが最大となる移動局＃ｎに対してパケットをスケジューリングするように構成されていてもよい。
【００５９】
本発明の第１の特徴において、前記第１のパラメータが、サービス種別ごとに、契約種別ごとに、端末種別ごとに、セル種別ごとに、又は優先クラスごとに設定されるように構成されていてもよい。
【００６０】
本発明の第１の特徴において、前記移動局＃ｎに係る時刻ｔにおける前記スケジューリング頻度ｆｎ（ｔ）が、時刻ｔにおいて移動局＃ｎに対してパケットがスケジューリングされたか否かを示す判定値Ａｌｎ（ｔ）と忘却係数τを用いて、ｆｎ（ｔ）＝τ・ｆｎ（ｔ−１）＋（１−τ）・Ａｌｎ（ｔ）に従って算出されるように構成されていてもよい。
【００６１】
本発明の第２の特徴は、複数の移動局に対するパケットの送信制御を行うパケット送信制御方法であって、所定期間において各移動局に対してパケットがスケジューリングされた頻度を示すスケジューリング頻度を取得する工程と、取得された前記スケジューリング頻度に基づいて、各移動局に対するパケットのスケジューリングを制御する工程とを有することを要旨とする。
【発明の効果】
【００６２】
以上説明したように、本発明によれば、従来のＰｒｏｐｏｒｔｉｏｎａｌ  Ｆａｉｒｎｅｓｓスケジューラを動作させつつ、時間的な公平性を実現することができるパケット送信制御装置及びパケット送信制御方法を提供することができる。
【発明を実施するための最良の形態】
【００６３】
［本発明の第１の実施形態］
（本発明の第１の実施形態に係るパケット送信制御装置の構成）
以下、図面を参照して、本発明の第１の実施形態に係るパケット送信制御装置の構成について説明する。図１は、本発明の第１の実施形態に係るパケット送信制御装置が設けられた移動通信システムの構成例を示す図である。
【００６４】
図１において、かかる移動通信システムは、無線基地局１００と複数の移動局＃１乃至＃３とから構成されており、ＨＳＤＰＡを採用している。本実施形態では、無線基地局１００に、上述のパケット送信制御装置が設けられている例について説明する。
【００６５】
ＨＳＤＰＡにおける下りパケット伝送では、各移動局＃１乃至＃３で共有して使用される下り共有チャネル（ＨＳ-ＳＣＣＨ［Ｈｉｇｈ  Ｓｐｅｅｄ  Ｓｈａｒｅｄ  Ｃｏｎｔｒｏｌ  Ｃｈａｎｎｅｌ］やＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）と、各移動局＃１乃至＃３に個別に割り当てられる物理チャネルに付随する付随個別チャネル＃１乃至＃３（上り方向及び下り方向の双方向チャネル）が用いられる。
【００６６】
付随個別チャネル＃１乃至＃３の上り方向では、ユーザデータ以外に、パイロットシンボルや、下り付随個別チャネル送信のための送信電力制御コマンド（ＴＰＣコマンド）や、共有チャネルのスケジューリングやＡＭＣＳ（適用変調・符号化）に用いるための下り品質情報等が伝送される。
【００６７】
一方、付随個別チャネル＃１乃至＃３の下り方向では、上り付随個別チャネル送信のための送信電力制御コマンド（ＴＰＣコマンド）等が伝送される。
【００６８】
本実施形態において、各移動局＃１乃至＃３は、同一の構成及び機能を持つので、以下、特段の断りがない限り、移動局＃ｎ（ｎ≧１）として説明を進める。
【００６９】
図２は、図１に示す無線基地局１００の構成例を示す機能ブロック図である。図２において、無線基地局１００は、送受信アンテナ１０１と、アンプ部１０２と、送受信部１０３と、ベースバンド信号処理部１０４と、呼処理部１０５と、ＨＷＹインターフェース１０６とから構成される。
【００７０】
送受信アンテナ１０１は、下り共有チャネルや下り付随個別チャネル＃１乃至＃３等を含む下り無線周波数信号を各移動局＃１乃至＃３に送信し、各移動局＃１乃至＃３から下り付随個別チャネル＃１乃至＃３等を含む上り無線周波数信号を受信するものである。
【００７１】
アンプ部１０２は、ベースバンド信号処理部１０４から出力された下り無線周波数信号を増幅して送受信アンテナ１０１に送信し、送受信アンテナ１０１からの上り無線周波数信号を増幅してベースバンド信号処理部１０４に送信するものである。
【００７２】
送受信部１０３は、アンプ部１０２から出力された上り無線周波数信号に対して周波数変換処理を施して得られたベースバンド信号をベースバンド信号処理部１０４に送信し、ベースバンド信号処理部１０４から出力されたベースバンド信号に対して無線周波数帯に変換する周波数変換処理を施して得られた下り無線周波数信号をアンプ部１０２に送信するものである。
【００７３】
ベースバンド信号処理部１０４は、ＨＷＹインターフェースから出力された下りパケットに対して、再送制御（ＨＡＲＱ（Ｈｙｂｒｉｄ  ＡＲＱ））処理やスケジューリング処理や伝送フォーマット及びリソース選択処理や誤り訂正符号化処理や拡散処理等を施して送受信部１０３に転送するものである。
【００７４】
また、ベースバンド信号処理部１０４は、送受信部１０３から出力されたベースバンド信号に対して、逆拡散処理やＲＡＫＥ合成処理や誤り訂正復号化処理等を施してＨＷＹインターフェース１０６に転送するものである。
【００７５】
図３に、ベースバンド信号処理部１０４の機能構成を示す。具体的には、図３に示すように、ベースバンド信号処理部１０４は、レイヤー１処理部１１１と、ＭＡＣ-ｈｓ（Ｍｅｄｉｕｍ  Ａｃｃｅｓｓ  Ｃｏｎｔｒｏｌ-ＨＳＤＰＡ）処理部１１２とから構成されている。なお、レイヤー１処理部１１１及びＭＡＣ-ｈｓ処理部１１２は、それぞれ呼処理部１０５と接続されている。
【００７６】
レイヤー１処理部１１１は、下りパケットに対する誤り訂正符号化処理及び拡散処理や、上りパケットに対する逆拡散処理、誤り訂正復号化処理及びＲＡＫＥ合成処理や、双方向の付随個別チャネルの送信電力制御処理を施すものである。
【００７７】
また、レイヤー１処理部１１１は、各移動局からの上り個別物理チャネルの専用の制御ビットフィールドに載せられて報告される下り方向の無線状態を示す情報を受け取り、ＭＡＣ-ｈｓ処理部１１２の評価関数計算部１９０に出力するように構成されている。
【００７８】
ここで、無線状態を示す情報とは、例えば、瞬時受信ＳＩＲ（Ｓｉｇｎａｌ-ｔｏ-Ｉｎｔｅｒｆｅｒｅｎｃｅ）や、ＢＬＥＲ（Ｂｉｔ  Ｅｒｒｏｒ  Ｒａｔｅ）や、ＣＱＩ（Ｃｈａｎｎｅｌ  Ｑｕａｌｉｔｙ  Ｉｎｄｉｃａｔｏｒ）等である。
【００７９】
ＭＡＣ-ｈｓ処理部１１２は、ＨＳＤＰＡにおける下り共有チャネルの再送制御（ＨＡＲＱ）処理や、送信待ちパケットに対するスケジューリング処理や、伝送フォーマット及びリソース選択処理を施すものである。
【００８０】
図４に、ＭＡＣ-ｈｓ処理部１１２の機能構成を示す。図４に示すように、ＭＡＣ-ｈｓ処理部１１２は、フローコントロール部１２０と、ＭＡＣ-ｈｓリソース計算部１３０と、スケジューラ部１４０と、ＴＦＲ（伝送フォーマット及びリソース：Ｔｒａｎｓｐｏｒｔ  Ｆｏｒｍａｔ  ａｎｄ  Ｒｅｓｏｕｒｃｅ）選択部１５０と、パケット割当頻度計算部１６０と、平均値算出部１７０と、移動局伝送速度計算部１８０と、評価関数計算部１９０とを具備している。
【００８１】
フローコントロール部１２０は、複数のフローコントロール（＃１乃至＃Ｎ）１２１１乃至１２１Ｎによって構成されており、無線制御装置からＨＷＹインターフェース１０６を介して受信した下りパケットの伝送速度を、実装されている送信キュー（バッファ）の容量等に基づいて調整する機能を備える。
【００８２】
各フローコントロール（＃１乃至＃Ｎ）１２１１乃至１２１Ｎは、下りパケットの流通量（フロー）を監視しており、下りパケットの流通量が増大して送信キュー（バッファ）の空き容量が減少してくると、送信するパケット量を抑制する処理を行う。なお、各フローコントロール（＃１乃至＃Ｎ）１２１１乃至１２１Ｎは、各移動局＃１乃至＃Ｎとの間のコネクション＃１乃至＃Ｎにそれぞれ対応するものとする。
【００８３】
ＭＡＣ-ｈｓリソース計算部１３０は、ＨＳ-ＤＳＣＨに割り当てる無線リソース（電力リソースや符号リソースやハードウエアリソース等）を計算するものであって、電力リソースを計算するＨＳ-ＤＳＣＨパワーリソース計算部１３１と、符号リソースを計算するＨＳ-ＤＳＣＨコードリソース計算部１３２と、ハードウエアリソースを計算するハードウエアリソース計算部１３３とを備える。
【００８４】
スケジューラ部１４０は、各移動局に対して送信する下りパケットについてのスケジューリング処理を施すものである。
【００８５】
本実施形態において、スケジューラ部１４０は、後述のように、所定期間において各移動局に対してパケットがスケジューリングされた頻度を示すスケジューリング頻度に基づいて、各移動局に対するパケットのスケジューリングを制御するように構成されている。
【００８６】
また、スケジューラ部１４０は、複数の移動局＃ｎ間のスケジューリング頻度の平均値と当該スケジューリング頻度とに基づいて、各移動局＃ｎに対するパケットのスケジューリングを制御するように構成されていてもよい。
【００８７】
また、スケジューラ部１４０は、移動局に対してパケットをスケジューリングする機会の公平性を制御するための第１のパラメータと、上述のスケジューリング頻度と、当該スケジューリング頻度の平均値とに基づいて、各移動局に対するパケットのスケジューリングを制御するように構成されていてもよい。
【００８８】
なお、スケジューラ部１４０は、後述するように、評価関数計算部１９０において計算される各移動局に係る評価関数に基づいて、各移動局に対して送信する下りパケットについてのスケジューリング処理を施す。
【００８９】
具体的には、スケジューラ部１４０は、評価関数計算部１９０において計算される各移動局に係る評価関数のうち、最大の評価関数Ｃｎを持つ移動局＃ｎを選択して、当該移動局＃ｎに対してプライオリティキュー１４１を割り当てる（下りリンクの送信割り当てを行う）。
【００９０】
図４に示すように、スケジューラ部１４０は、Ｎ個のプライオリティキュー（＃１乃至＃Ｎ）１４１１乃至１４１Ｎと、Ｎ個のリオーダリング部（＃１乃至＃Ｎ）１４２１乃至１４２Ｎと、Ｎ個のＨＡＲＱ部（＃１乃至＃Ｎ）１４３１乃至１４３Ｎとを有する。
【００９１】
なお、プライオリティキュー（＃１乃至＃Ｎ）１４１１乃至１４１Ｎ、リオーダリング部（＃１乃至＃Ｎ）１４２１乃至１４２Ｎ及びＨＡＲＱ部（＃１乃至＃Ｎ）１４３１乃至１４３Ｎは、各移動局＃１乃至＃Ｎとの間のコネクション＃１乃至＃Ｎにそれぞれ対応するものとする。
【００９２】
プライオリティキュー（＃１乃至＃Ｎ）１４１１乃至１４１ＮNは、コネクション毎に設けられている送信キューである。すなわち、プライオリティキュー（＃１乃至＃Ｎ）１４１１乃至１４１Ｎは、スケジューリング処理によって選択されるまでの間、下りパケットを蓄積するように構成されている。
【００９３】
通常、１つの移動局に対して１つのプライオリティキューが用いられるが、１つの移動局が複数のコネクションを設定している場合、１つの移動局に対して複数のプライオリティキューが用いられる。
【００９４】
リオーダリング部（＃１乃至＃Ｎ）１４２１乃至１４２Ｎは、ＨＡＲＱを用いた再送制御処理において、移動局＃ｎが、下りパケットについての受信順序制御処理を行うことができるように、下りパケットに対してシーケンス番号を付与して、移動局＃ｎの受信バッファが溢れないように、ウィンドウ制御処理を行うものである。
【００９５】
ＨＡＲＱ部（＃１乃至＃Ｎ）１４３１乃至１４３Ｎは、ＭプロセスのストップアンドウェイトプロトコルＡＲＱによって、上り方向のＡｃｋ/Ｎａｃｋフィードバックに基づいた再送制御処理を行うものである。
【００９６】
図５を参照して、ＨＡＲＱ部（＃１乃至＃Ｎ）１４３１乃至１４３Ｎで行われるストップアンドウェイトプロトコルＡＲＱの動作例について説明する。
【００９７】
図５に示すように、ストップアンドウェイトプロトコルＡＲＱでは、受信側は、送信側からのパケットを受け取ると送信確認（Ａｃｋ/Ｎａｃｋ）を送信側に返す。図５の例では、受信側は、パケット＃１を受け取ったとき、正しく受信できなかったので、否定応答（Ｎａｃｋ）を送信側に返している。一方、受信側は、パケット＃２について正しく受信できたので、肯定応答（Ａｃｋ）を送信側に返している。以下、受信側は、受け取ったパケットの順に、Ａｃｋ又はＮａｃｋを送信側に返す動作を繰り返す。
【００９８】
ＴＦＲ選択部１５０は、Ｎ個のＴＦＲ選択機能（＃１乃至＃Ｎ）１５１１乃至１５１Ｎによって構成されている。なお、各ＴＦＲ選択機能（＃１乃至＃Ｎ）１５１１乃至１５１Ｎは、各移動局＃１乃至＃Ｎとの間のコネクション＃１乃至＃Ｎにそれぞれ対応するものとする。
【００９９】
各ＴＦＲ選択機能（＃１乃至＃Ｎ）１５１１乃至１５１Ｎは、上りチャネルを介して受信した下り回線品質インジケータであるＣＱＩや、ＭＡＣ-ｈｓリソース計算部１３０で計算されたＨＳ-ＤＳＣＨに割り当てるべき無線リソース（電力リソースや符号リソースやハードウエアリソース）等に基づいて、各コネクション＃１乃至＃Ｎにおいて利用される下り伝送フォーマット（符号変調方式や変調多値数や符号化率等）及び無線リソースを決定するように構成されている。
【０１００】
各ＴＦＲ選択機能（＃１乃至＃Ｎ）１５１１乃至１５１Ｎは、決定した下り伝送フォーマット及び無線リソースを、レイヤー１処理部１１１に通知する。
【０１０１】
パケット割当頻度計算部１６０は、移動局＃ｎごとに、すなわち、プライオリティキュー１４１１乃至１４１Ｎごとに、過去の所定期間（測定期間）において各移動局に対してパケットがスケジューリングされた頻度を示すスケジューリング頻度（すなわち、パケット割当頻度）ｆｎを算出するものである。
【０１０２】
例えば、パケット割当頻度計算部１６０は、時刻ｔにおけるスケジューリング頻度ｆｎ（ｔ）を、下式に基づいて算出する。
【０１０３】
ｆｎ（ｔ）＝τ・ｆｎ（ｔ−１）＋（１−τ）・Ａｌｎ（ｔ）
ここで、Ａｌｎ（ｔ）は、時刻ｔにおいて移動局＃ｎに対してパケットがスケジューリングされた場合に「１」となり、時刻ｔにおいて移動局＃ｎに対してパケットがスケジューリングされた場合に「０」となる値である。
【０１０４】
また、τは、パラメータとして与えられる忘却係数であり、τを１に近づけた場合、上述のスケジューリング頻度の測定期間を大きくすることができ、より時間的な公平性を大きくすることができる。逆に、τを小さくした場合には、上述のスケジューリング頻度の測定期間を小さくすることができ、より時間的な公平性を小さくすることができる。
【０１０５】
また、パケット割当頻度計算部１６０は、時刻ｔにおけるスケジューリング頻度ｆｎ（ｔ）を、下式に基づいて算出するように構成されていてもよい。
【数１６】
2005191745.tif 000012
【０１０６】
ここで、Ａｌｎ（τ）は、時刻τにおいて移動局＃ｎに対してパケットがスケジューリングされた場合に「１」となり、時刻τにおいて移動局＃ｎに対してパケットがスケジューリングされた場合に「０」となる値である。
【０１０７】
また、Ｔは、上述のスケジューリング頻度の測定期間の大小を制御するための制御パラメータであり、Ｔを大きく設定した場合、上述のスケジューリング頻度の測定期間を大きくすることができ、より時間的な公平性を大きくすることができる。逆に、Ｔを小さく設定した場合には、上述のスケジューリング頻度の測定期間を小さくすることができ、より時間的な公平性を小さくすることができる。
【０１０８】
平均値算出部１７０は、パケット割当頻度計算部１６０によって算出された各移動局＃ｎのスケジューリング頻度ｆｎを用いて、複数の移動局＃ｎ間のスケジューリング頻度の平均値Ｆを算出するものである。
【０１０９】
例えば、平均値算出部１７０は、複数の移動局＃ｎ間のスケジューリング頻度の平均値Ｆを、下式に基づいて算出する。
【数１７】
2005191745.tif 000013
【０１１０】
また、平均値算出部１７０は、複数の移動局＃ｎ間のスケジューリング頻度の平均値Ｆとして、複数の移動局におけるスケジューリング頻度についての統計的な中心の値を求めればよいため、複数の移動局におけるスケジューリング頻度の中央値や幾何平均値や調和平均値や最頻値を算出するように構成されていてもよい。
【０１１１】
移動局伝送速度計算部１８０は、（式１）に基づいて、移動局＃ｎに対する下りパケットの平均伝送速度
【数１８】
2005191745.tif 000014
【０１１２】
を計算するものである。
【０１１３】
ここで、δは、平均化処理を行う区間を指定する所定のパラメータであり、また、平均化処理のための忘却係数（０≦δ≦１）を示すものである。δを制御することにより、スケジューラが提供する公正性の強弱を制御することができる。
【０１１４】
例えば、δの値を「０．９９」と設定するよりも、δの値を「０．９９９９」と設定する方が、各移動局＃ｎに対するパケットの平均伝送速度を算出する区間が大きくなり、結果として、長い時間にわたる移動局＃ｎ間の公平性を考慮することになり、より時間的に公平性の高いスケジューラを動作させることが可能となる。
【０１１５】
逆に言えば、各移動局＃ｎに対するパケットの平均伝送速度を算出する区間を小さくすると、すなわち、δの値を小さくすると、短い時間にわたる移動局＃ｎ間の公平性を考慮することになるため、より時間的に公平性の低いスケジューラを動作させることが可能となる。
【０１１６】
本パラメータδは、各移動局に対する下りパケット、すなわち、各プライオリティキュー１４１１乃至１４１Ｎ内の下りパケットについて、サービス種別や、契約種別や、端末種別や、セル種別や、優先度クラス種別等に基づいて設定されることができる。
【０１１７】
また、（式１）において、ｒｎは、移動局＃ｎに対するパケットの瞬時伝送速度を示すものである。
【０１１８】
移動局＃ｎに対するパケットの瞬時伝送速度ｒｎは、移動局＃ｎから送達確認を受信したパケットのサイズ（データ量）、移動局＃ｎに対して送信したパケットのサイズ、又は、移動局＃ｎとの間の無線状態Ｒｎに基づいて算出（推定）される送信可能なパケットのサイズのいずれかであるものとする。
【０１１９】
また、移動局伝送速度計算部１８０は、所定の送信時間間隔ごと、又は、パケットのスケジューリングに用いる評価関数を算出する時間間隔ごとに、パケットの平均伝送速度を更新するように構成されている。また、移動局伝送速度計算部１８０は、所定の計算方法で、パケットの平均伝送速度の更新に用いる当該パケットの瞬時伝送速度ｒｎを算出するように構成されている。
【０１２０】
例えば、移動局伝送速度計算部１８０は、図６に示すように、タイプ＃１乃至タイプ＃５のパターンで、パケットの平均伝送速度を更新するように構成されている。
【０１２１】
タイプ＃１のパターンの場合、移動局伝送速度計算部１８０は、全てのＴＴＩ（Ｔｒａｎｓｍｉｓｓｉｏｎ  Ｔｉｍｅ  Ｉｎｔｅｒｖａｌ）ごとに、移動局＃ｎから送達確認を受信したパケットのサイズを算出することによって、パケットの平均伝送速度を更新する。
【０１２２】
タイプ＃２のパターンの場合、移動局伝送速度計算部１８０は、全てのＴＴＩごとに、移動局＃ｎに対して送信したパケットのサイズを算出することによって、パケットの平均伝送速度を更新する。
【０１２３】
タイプ＃３のパターンの場合、移動局伝送速度計算部１８０は、全てのＴＴＩごとに、移動局＃ｎとの間の無線状態Ｒｎに基づいて算出（推定）される送信可能なパケットのサイズを算出することによって、パケットの平均伝送速度を更新する。
【０１２４】
タイプ＃４のパターンの場合、移動局伝送速度計算部１８０は、パケットのスケジューリングに用いる評価関数を算出する時間間隔ごとに、移動局＃ｎから送達確認を受信したパケットのサイズを算出することによって、パケットの平均伝送速度を更新する。
【０１２５】
タイプ＃５のパターンの場合、移動局伝送速度計算部１８０は、パケットのスケジューリングに用いる評価関数を算出する時間間隔ごとに、移動局＃ｎに対して送信したパケットのサイズを算出することによって、パケットの平均伝送速度を更新する。
【０１２６】
なお、移動局伝送速度計算部１８０は、上述の方法の他に、例えば、移動局＃ｎが通信状態に入った後、一定期間ごとに、ＭＡＣ-ｈｓ処理部１１２に流入したデータリンク層における当該移動局＃ｎ宛てのパケットのデータ量を測定することによって、当該移動局＃ｎに対するパケットの瞬時の伝送速度ｒｎを求めるように構成されていてもよい。かかる場合、ＭＡＣ-ｈｓ処理部１１２が、データリンク層におけるパケットの伝送速度を測定する機能を具備している必要がある。
【０１２７】
評価関数計算部１９０は、後述のように、移動局＃ｎごとに、スケジューラ部１４０によるスケジューリング処理において用いられる評価関数Ｃｎを算出するものである。
【０１２８】
呼処理部１０５は、無線基地局１００の上位に位置する無線制御装置との間で呼処理制御信号の送受信を行い、無線基地局１００の状態管理や無線リソース割り当てを行うものである。
【０１２９】
ＨＷＹインターフェース１０６は、無線制御装置との間のインターフェースの役割を果たすものであり、無線制御装置から受信した下りパケットをベースバンド信号処理部１０４に転送し、ベースバンド信号処理部１０４から受信した上りパケットを無線制御装置に転送するものである。
【０１３０】
（本実施形態に係るパケット送信制御装置の動作）
図７を参照して、本実施形態に係るパケット送信制御装置の動作、具体的には、ＭＡＣ-ｈｓ処理部１１２における下りパケットのスケジューリング処理の動作について説明する。
【０１３１】
図７に示すように、ステップＳ２００１において、評価関数計算部１９０は、各移動局＃ｎに係る評価関数Ｃｎを計算するための初期値設定処理を行う。具体的には、評価関数計算部１９０は、初期値として、「ｎ＝１」、「Ｃｍａｘ＝０」及び「ｎｍａｘ＝０」を設定する。ここで、ｎは、移動局の添え字を表し、Ｃｍａｘは、評価関数Ｃｎの最大値を表し、ｎｍａｘは、評価関数Ｃｎが最大となる移動局の添え字を表す。
【０１３２】
ステップＳ２００２において、評価関数計算部１９０は、レイヤー１処理部１１１から、移動局＃ｎとの間の下りリンクの瞬時の無線状態Ｒｎ、又は、当該無線状態Ｒｎから推定される送信可能なパケットのサイズ（データ量）を取得する。
【０１３３】
なお、「無線状態Ｒｎから推定される送信可能なパケットのサイズ」とは、下り回線品質の示すＣＱＩや、下り伝送チャネルの瞬時ＳＩＲや、ＭＡＣ-ｈｓリソース計算部１３０において計算されたＨＳ-ＤＳＣＨに割り当てる無線リソース等に基づいて、所定の誤り率で送信可能と推定されるパケットのサイズのことを表す。
【０１３４】
ステップＳ２００３において、評価関数計算部１９０は、移動局伝送速度計算部１８０から、移動局＃ｎに対する下りパケットの平均伝送速度
【数１９】
2005191745.tif 000015
【０１３５】
を取得する。
【０１３６】
ステップＳ２００４において、評価関数計算部１９０は、パケット割当頻度計算部１６０から、移動局＃ｎに割り当てられているプライオリティキュー（＃ｎ）１４１ｎ内のパケットが過去にスケジューリングされた頻度を示すスケジューリング頻度ｆｎを取得するとともに、平均値算出部１７０から、複数の移動局＃ｎ間のスケジューリング頻度の平均値Ｆを取得する。
【０１３７】
ステップＳ２００５において、評価関数計算部１９０は、ステップＳ２００２乃至Ｓ２００４における全ての情報を取得したか否かについて判定する。
【０１３８】
全ての情報が取得されたと判定された場合（ステップＳ２００５の「ＹＥＳ」の場合）、本動作は、ステップＳ２００６に進み、それ以外の場合（ステップＳ２００５の「ＮＯ」の場合）、評価関数計算部１９０は、未取得の情報の取得を試みる。
【０１３９】
評価関数計算部１９０は、ステップＳ２００６において、呼処理部１０５を介して遠隔から指定された「指数パラメータα、β、及びパラメータγ」を受け取り、ステップＳ２００７において、下式に従って評価関数Ｃｎを計算する。
【数２０】
2005191745.tif 000016
【０１４０】
上述のように、評価関数Ｃｎが計算されると、ステップＳ２００８において、評価関数計算部１９０は、計算された評価関数Ｃｎが最大値であるか否かについて判定する。
【０１４１】
現在、Ｃｍａｘ＝０（初期値）と設定されているので、ステップＳ２００９において、評価関数計算部１９０は、ステップＳ２００７で測定した評価関数ＣｎをＣｍａｘに設定し、Ｃｍａｘに対応する移動局＃ｎの添え字ｎをｎｍａｘに設定する。
【０１４２】
ステップＳ２０１０において、評価関数計算部１９０は、次の移動局＃ｎ＋１の評価関数Ｃｎ＋１を計算するために、ｎの値を＋１だけインクリメントする。
【０１４３】
ステップＳ２０１１において、評価関数計算部１９０は、ｎの値が、無線基地局１００と通信中の移動局数Ｎを超えるか否かについて判定する。
【０１４４】
ステップＳ２０１１でｎの値が移動局数Ｎを超えないと判定された場合（ステップＳ２０１１の「ＮＯ」の場合）、本動作は、ステップＳ２００２からステップＳ２０１０までのループ処理を、ｎの値が移動局数Ｎを超えると判定されるまで繰り返し行う。この結果、評価関数計算部１９０は、無線基地局１００と通信中の全ての移動局についての評価関数Ｃｎを計算することができる。
【０１４５】
一方、ステップＳ２０１１でｎの値が移動局数Ｎを超えると判定された場合（ステップＳ２０１１の「ＹＥＳ」の場合）、評価関数計算部１９０は、ステップＳ２００９で設定されたｎｍａｘに対応する移動局＃ｎｍａｘに対して送信キューの割り当てを行うようにスケジューラ部１４０に指示する。
【０１４６】
（本実施形態に係るパケット送信制御装置の作用・効果）
本実施形態に係るパケット送信制御システムによれば、スケジューリング部１４０が、無線品質Ｒｎの変動の大小に関わらず、所定期間において各移動局＃ｎに対してパケットがスケジューリングされた頻度を示すスケジューリング頻度ｆｎに基づいて、各移動局＃ｎに対するパケットのスケジューリングを制御するため、従来のＰｒｏｐｏｒｔｉｏｎａｌ  Ｆａｉｒｎｅｓｓスケジューラを動作させつつ、時間的な公平性を実現することができる。
【０１４７】
詳述すると、本実施形態に係るパケット送信制御システムによれば、各移動局＃ｎに対応するプライオリティキュー１４１ｎごとのスケジューリング頻度を計算し、当該スケジューリング頻度ｆｎと当該プライオリティキュー１４１ｎ間の当該スケジューリング頻度ｆｎの平均値Ｆとの差分に基づいた評価項ｅｘｐ（−γ・（ｆｎ−Ｆ））を、従来のスケジューラの評価関数Ｃｎに組み込むことで、スケジューリング機会の均等化を提供することができるスケジューラを提供することが可能である。
【０１４８】
具体的には、本実施形態に係るパケット送信制御システムによれば、上述の式（２）において、右辺における一般的なＰｒｏｐｏｔｉｏｎａｌ  Ｆａｉｒｎｅｓｓスケジューラの評価関数
【数２１】
2005191745.tif 000017
【０１４９】
に、各移動局＃ｎに対応するプライオリティキュー１４１ｎのスケジューリング頻度ｆｎと複数の移動局＃ｎ（プライオリティキュー１４１ｎ）間のスケジュール頻度の平均値Ｆとからなる項ｅｘｐ（−γ・（ｆｎ−Ｆ））が乗算されているため、Ｐｒｏｐｏｔｉｏｎａｌ  Ｆａｉｒｎｅｓｓスケジューラによる公平性に加えて、スケジューリング機会の均等化を提供することができる。
【０１５０】
例えば、５台の移動局Ａ１、Ａ２、Ａ３、Ａ４、Ａ５が存在し、測定対象のＴＴＩ（Ｔｒａｎｓｍｉｓｓｉｏｎ  Ｔｉｍｅ  Ｉｎｔｅｒｖａｌ）におけるスケジューリング頻度が、それぞれ「０.１」、「０.２」、「０.３」、「０.４」、「０.５」であった場合に、スケジューリング機会に関する公平性を実現するためには、スケジューリング機会の少ない移動局Ａ１、Ａ２、Ａ３、Ａ４、Ａ５の順に割当機会を大きくする必要がある。
【０１５１】
ここで、上述の５台の移動局Ａ１乃至Ａ５間のスケジューリング頻度の平均値は、「０.３」であるため、各移動局Ａ１乃至Ａ５に対応するｅｘｐ（−γ・（ｆｎ−Ｆ））の値は、それぞれ、「ｅｘｐ（０.２γ）」、「ｅｘｐ（０.１γ）」、「ｅｘｐ（０.０γ）」、「ｅｘｐ（−０.１γ）」、「ｅｘｐ（−０.２γ）」となり、移動局Ａ１、Ａ２、Ａ３、Ａ４、Ａ５の順に評価関数Ｃｎの大きさを大きくすることができる。
【０１５２】
また、本実施形態に係るパケット送信制御システムによれば、パラメータ（忘却係数）γを制御することによって、スケジューリング機会に関する公平性の強弱を制御することができる。
【０１５３】
例えば、γの値を小さくした場合、各移動局Ａ１乃至Ａ５に対応するｅｘｐ（−γ・（ｆｎ−Ｆ））の値（すなわち、「ｅｘｐ（０.２γ）」、「ｅｘｐ（０.１γ）」、「ｅｘｐ（０.０γ）」、「ｅｘｐ（−０.１γ）」、「ｅｘｐ（−０.２γ）」）の差が小さくなり、スケジューリング機会に係る公平性を弱くすることができる。
【０１５４】
一方、γの値を大きくした場合、各移動局Ａ１乃至Ａ５に対応するｅｘｐ（−γ・（ｆｎ−Ｆ））の値（すなわち、「ｅｘｐ（０.２γ）」、「ｅｘｐ（０.１γ）」、「ｅｘｐ（０.０γ）」、「ｅｘｐ（−０.１γ）」、「ｅｘｐ（−０.２γ）」）の差が大きくなり、スケジューリング機会に係る公平性を強くすることができる。
【０１５５】
（変更例）
なお、本実施形態に係るパケット送信制御システムは、スケジューリング機会に関する公平性の強弱を制御するパラメータγを、優先度クラスごとに、サービス種別ごとに、端末種別ごとに、セル種別ごとに、又は、契約種別毎に設定するように構成されていてもよい。
【０１５６】
また、本実施形態に係るパケット送信制御システムは、所定のパラメータα、βを適切に設定することによって、スケジューリング機会の均等化を提供可能なスケジューラ、例えば、Ｐｒｏｐｏｒｔｉｏｎａｌ  Ｆａｉｒｎｅｓｓスケジューラ（α＝１、β＝１）や、ＭＡＸ  Ｃ/Ｉスケジューラ（α＝１、β〜１（但し、β≠０））や、両者の中間の性質を持つスケジューラを提供することが可能となる。
【０１５７】
また、本実施形態に係るパケット送信制御システムにおいて、評価関数計算部１９０は、評価関数Ｃｎにおけるスケジューリング機会の均等化を図る項であるｅｘｐ（−γ・（ｆｎ−Ｆ））の代わりに、
【数２２】
2005191745.tif 000018
【０１５８】
や、−ａ・ｘ２＋ａ・Ｆ２＋ｂを用いるように構成されていてもよい。ここで、ａ、ｂは、任意の定数とする。
【０１５９】
また、本実施形態に係るパケット送信制御システムは、上述のスケジューラ以外のスケジューラを用いるように構成されていてもよい。例えば、評価関数Ｃｎが、
【数２３】
2005191745.tif 000019
【０１６０】
であるスケジューラを用いる場合、本実施形態に係るパケット送信制御システムは、かかる評価関数Ｃｎを
【数２４】
2005191745.tif 000020
【０１６１】
と変更することによって、従来のスケジューラの機能に加えて、スケジューリング機会の均等化を提供することができる。ここで、α、β、γは、０から１の範囲の値を取るパラメータであり、Ｗｎは、無線基地局１００におけるパケットの滞留時間を示すものである。
【０１６２】
なお、本実施形態では、１つの移動局が、１つのプライオリティキューを使用するものとしているが、１つの移動局が、複数のプライオリティキュー（例えば、Ｋ個のプライオリティキュー）を使用することも可能であり、その場合、本実施形態に係るパケット送信制御装置は、Ｎ個のプライオリティキューの代わりに、Ｎ×Ｋ個のプライオリティキューに対してスケジューリング処理を行うことになる。
【０１６３】
また、ＭＡＣ-ｈｓ処理部１１２の評価関数計算部１９０は、例えば、ＣＰＵやデジタルシグナルプロセッサ（ＤＳＰ）や、或いはＥＰＧＡ等のプログラムの書き換えが可能なプログラマブルデバイスによって構成されており、所定のメモリ領域に評価関数Ｃｎを算出するためのプログラムを記憶しており、所定のパラメータ（α，β，δ，γ）をダウンロードして書き換える構成となっていてもよい。
【０１６４】
ここで、評価関数計算部１９０は、無線基地局１００の上位ノードから、所定のパラメータ（α，β，δ，γ）をダウンロードしてもよいし、端末Ｉ/Ｆ（外部インターフェース機能）を具備して、直接、端末から所定のパラメータ（α，β，δ，γ）を読み取るように構成されていてもよい。
【０１６５】
また、上述したＭＡＣ-ｈｓ処理部１１２の各機能ブロックは、ハードウェアで分割されていてもよいし、プロセッサ上のプログラムでソフトウェアとして分割されていてもよい。
【０１６６】
［本発明の第２の実施形態］
（本発明の第２の実施形態に係るパケット送信制御装置）
本発明の第２の実施形態に係るパケット送信制御装置について、上述の第２の実施形態に係るパケット送信制御装置との相違点を主として説明する。
【０１６７】
一般的に、パケット通信網におけるパケット伝送においては、例えば、特開平３-５８６４６号公報に提案されているように、２種類の優先度クラスを設け、第１の優先度をもつパケットを第２の優先度をもつパケットより優先的に伝送することが考えられている。
【０１６８】
そこで、本実施形態では、スケジューラ部１４０が、移動局＃ｎごとにパケットの送信に係る優先度クラスＰＣｎを管理しており、優先度クラスＰＣｎに応じて、パケットをスケジューリングするように構成されている。
【０１６９】
以下、図８を参照して、本実施形態に係るパケット送信制御装置の動作について説明する。
【０１７０】
図８に示すように、ステップＳ３００１において、ＭＡＣ-ｈｓ処理部１１２の評価関数計算部１９０は、プライオリティキュー（＃１乃至＃Ｎ）１４１１乃至１４１ｎをいくつかの優先度クラスに分類する。
【０１７１】
ステップＳ３００２乃至ステップＳ３００６の動作は、図７に示すステップＳ２００１乃至ステップＳ２００５の動作と同一である。
【０１７２】
評価関数計算部１９０は、ステップ３００６において、移動局＃ｎの評価関数Ｃｎの計算に必要な
【数２５】
2005191745.tif 000021
【０１７３】
を全て取得すると、ステップＳ３００７において、呼処理部１０５を介して遠隔から指定された所定のパラメータ（αｉ，βｉ，γｉ）及び優先度クラス毎に設定された重み係数（ウェイト）Ａｉ（但し、ｉは、移動局＃ｎの優先度レベルの添え字）を受け取る。なお、所定のパラメータ（αｉ，βｉ，γｉ）及び重み係数（ウェイト）Ａｉは、各優先度クラスにおいて共通の値を用いるように設定されていてもよい。
【０１７４】
ステップＳ３００８において、評価関数計算部１９０は、下式に基づいて評価関数Ｃｎを計算する。
【数２６】
2005191745.tif 000022
【０１７５】
ここで、ＰＣｎは、移動局＃ｎが属する優先度クラスを示す。なお、移動局＃ｎが属する優先度クラスＰＣｎにおけるスケジューリング頻度の平均値ＦＰＣｎは、（式３）に示すように計算される。
【数２７】
2005191745.tif 000023
【０１７６】
なお、上述のように優先度クラスＰＣｎごとにスケジューリング頻度の平均値ＦＰＣｎを算出してもよいし、複数の優先度クラスＰＣｎにおいて１つのスケジューリング頻度の平均値ＦＰＣｎを算出してもよい。
【０１７７】
上述のように、評価関数Ｃｎが計算されると、ステップＳ３００９において、評価関数計算部１９０は、計算された評価関数Ｃｎが最大値であるか否かについて判定する。
【０１７８】
現在、Ｃｍａｘ＝０（初期値）と設定されているので、ステップＳ３０１０において、評価関数計算部１９０は、ステップＳ３００８で測定した評価関数ＣｎをＣｍａｘに設定し、Ｃｍａｘに対応する移動局＃ｎの添え字ｎをｎｍａｘに設定する。
【０１７９】
ステップＳ３０１１において、評価関数計算部１９０は、次の移動局＃ｎ＋１の評価関数Ｃｎ＋１を計算するために、ｎの値を＋１だけインクリメントする。
【０１８０】
ステップＳ３０１２において、評価関数計算部１９０は、ｎの値が、無線基地局１００と通信中の移動局数Ｎを超えるか否かについて判定する。
【０１８１】
ステップＳ３０１２でｎの値が移動局数Ｎを超えないと判定された場合（ステップＳ３０１２の「ＮＯ」の場合）、本動作は、ステップＳ３００３からステップＳ３０１１までのループ処理を、ｎの値が移動局数Ｎを超えると判定されるまで繰り返し行う。この結果、評価関数計算部１９０は、無線基地局１００と通信中の全ての移動局についての評価関数Ｃｎを計算することができる。
【０１８２】
一方、ステップＳ３０１２でｎの値が移動局数Ｎを超えると判定された場合（ステップＳ３０１２の「ＹＥＳ」の場合）、評価関数計算部１９０は、ステップＳ３０１０で設定されたｎｍａｘに対応する移動局＃ｎｍａｘに対して送信キューの割り当てを行うようにスケジューラ部１４０に指示する。
【０１８３】
本実施形態に係るパケット送信制御装置によれば、優先度クラスＰＣｎに応じた重み係数Ａｉや指数αｉ、βｉを制御するだけでなく、スケジューリング機会の公平性を制御するパラメータγｉを優先度クラスＰＣｎごとに設定することによって、各優先度クラス内でのスケジューリング機会の均等化及び優先度クラス間のスケジューリング機会の均等化を図ることができ、優先度クラスに応じた適切なスケジューラを実現することができる。
【０１８４】
例えば、上述の（式３）において、２つの優先度クラスＰＣｎを設け、高い優先度クラスＰＣｎ＝１とし、低い優先度クラスをＰＣｎ＝２とした場合、Ａ１＞Ａ２となるように設定することによって、高い優先度クラスの移動局＃ｎのパケットを優先的に送信するように制御することができる。
【０１８５】
すなわち、本実施形態に係るパケット送信制御装置において、Ａ１とＡ２の差を十分に大きくとることで、高い優先度クラスのパケットを必ず優先して送信するように制御することができる。
【０１８６】
また、指数パラメータ（α１，β２）＝（１，１）及び（α２，β２）＝（１，０）と設定することにより、本実施形態に係るパケット送信制御装置は、高い優先度クラスのパケットに対して、Ｐｒｏｐｏｒｔｉｏｎａｌ  Ｆａｉｒｎｅｓｓスケジューラとして動作し、低い優先度クラスのパケットに対して、ＭＡＸ  Ｃ／Ｉスケジューラとして動作することができる。
【０１８７】
また、指数パラメータ（δ１，δ２）＝（０.９９９９，０.９９）と設定することにより、本実施形態に係るパケット送信制御装置は、高い優先度クラスのパケットに対して平均化区間を大きく設定して時間的な公平性をより大きく考慮し、低い優先度クラスのパケットに対して平均化区間を小さく設定して時間的な公平性をより小さく考慮するように制御することができる。
【０１８８】
本実施形態に係るパケット送信制御装置において、優先度クラス「１」の移動局は、優先度クラス「１」の移動局間のスケジューリング頻度の平均値を用いて評価関数を算出し、優先度クラス「１」の移動局は、優先度クラス「１」の移動局間のスケジューリング頻度の平均値を用いて評価関数を算出する。
【０１８９】
したがって、本実施形態に係るパケット送信制御装置によれば、優先度クラスが同じである移動局間でスケジューリング機会の均等化を図ることができる。
【０１９０】
さらに、本実施形態に係るパケット送信制御装置は、上述のような優先度クラスの制御に加えて、優先度クラスごとにスケジューリング機会の公平性の強弱制御するパラメータγｉを設定することができる。
【０１９１】
すなわち、本実施形態に係るパケット送信制御装置は、優先度が高い優先度クラス「１」におけるパラメータγ１を「２」と設定し、優先度が低い優先度クラス「２」におけるパラメータγ２を「１」と設定することによって、優先度クラス「１」に係るパケットに対して、より強いスケジューリング機会の均等化を保証し、優先度クラス「２」に係るパケットに対して、より弱いスケジューリング機会の均等化を保証することができる。
【０１９２】
ここで、反対に、本実施形態に係るパケット送信制御装置は、優先度が高い優先度クラス「１」におけるパラメータγ１を「１」と設定し、優先度が低い優先度クラス「２」におけるパラメータγ２を「２」と設定することによって、優先度クラス「１」に係るパケットに対して、より弱いスケジューリング機会の均等化を保証し、優先度クラス「２」に係るパケットに対して、より強いスケジューリング機会の均等化を保証するように構成されていてもよい。
【０１９３】
（変更例２）
本実施形態では、優先度クラスに応じてスケジューラのパラメータを変えつつ、優先度クラスごとに複数の移動局間のスケジュール頻度の平均値を算出する際の母集団を設定し、当該母集団の中でスケジューリング機会の均等化の度合いを変えるという形態であったが、本発明は、これに限定されるものではない。
【０１９４】
例えば、本発明に係るパケット送信制御装置は、サービス種別（サービスクラス）を定義することで、サービス種別に応じてスケジューラのパラメータを設定し、サービス種別ごとに複数の移動局間のスケジュール頻度の平均値を算出する際の母集団を設定し、当該母集団の中でスケジューリング機会の均等化の度合いを変えることによって、適切なスケジューラを実現することが可能である。ここで、サービス種別は、様々なデータ量のパケットを転送するサービスをクラス分けするものであり、例えば、映像パケット転送サービスや音声パケット転送サービスを含む。
【０１９５】
また、本発明に係るパケット送信制御装置は、契約種別を定義することで、契約種別に応じてスケジューラのパラメータを設定し、契約種別ごとに複数の移動局間のスケジュール頻度の平均値を算出する際の母集団を設定し、当該母集団の中でスケジューリング機会の均等化の度合いを変えることによって、適切なスケジューラを実現することが可能である。ここで、契約種別は、様々な利用料金の契約をクラス分けするものであり、例えば、Ｌｏｗ  Ｃｌａｓｓ契約やＨｉｇｈ  Ｃｌａｓｓ契約を含む。
【０１９６】
また、本発明に係るパケット送信制御装置は、セル種別を定義することで、セル種別に応じてスケジューラのパラメータを設定し、セル種別ごとに複数の移動局間のスケジュール頻度の平均値を算出する際の母集団を設定し、当該母集団の中でスケジューリング機会の均等化の度合いを変えることによって、適切なスケジューラを実現することが可能である。ここで、セル種別は、セルの形態をクラス分けするものであり、例えば、屋内セル又は屋外セルや、市街地又は郊外や、高トラヒック地帯又は低トラヒック地帯等を含む。
【０１９７】
また、本発明に係るパケット送信制御装置は、端末種別を定義することで、端末種別に応じてスケジューラのパラメータを設定し、端末種別ごとに複数の移動局間のスケジュール頻度の平均値を算出する際の母集団を設定し、当該母集団の中でスケジューリング機会の均等化の度合いを変えることによって、適切なスケジューラを実現することが可能である。ここで、端末種別は、様々な端末をクラス分けするものであり、例えば、移動局の識別情報に基づくクラスや、ＲＡＫＥ受信機能や等化器や受信ダイバーシチや干渉キャンセラ等の有無又は種別や、受信可能な変調方式やコード数やビット数等の端末能力を含む。
【０１９８】
なお、上述の実施形態は、３ＧＰＰにおける高速パケット伝送方式であるＨＳＤＰＡに関して記述したが、本発明は、ＨＳＤＰＡに限定されるものではなく、移動通信システムにおける下りパケットの送信制御（スケジューリング）処理を行う任意の高速パケット伝送方式に適用することが可能である。
【０１９９】
例えば、本発明は、３ＧＰＰ２におけるｃｄｍａ２０００  １ｘ-ＥＶ  ＤＯや、ＴＤＤにおける高速パケット伝送方式等の高速パケット伝送方式に適用することができる。
【図面の簡単な説明】
【０２００】
【図１】本発明の一実施形態に係る移動通信システムの全体構成図である。
【図２】本発明の一実施形態に係る無線基地局の機能ブロック図である。
【図３】本発明の一実施形態に係る無線基地局におけるベースバンド信号処理部の機能ブロック図である。
【図４】本発明の一実施形態に係る無線基地局におけるベースバンド信号処理部内のＭＡＣ-ｈｓ処理部の機能ブロック図である。
【図５】本発明の一実施形態に係る無線基地局におけるベースバンド信号処理部内のＭＡＣ-ｈｓ処理部のＨＡＲＱ部の動作を説明するための図である。
【図６】本発明の一実施形態に係る無線基地局におけるベースバンド信号処理部内のＭＡＣ-ｈｓ処理部の移動局伝送速度計算部の動作を説明するための図である。
【図７】本発明の第１の実施形態に係る無線基地局におけるベースバンド信号処理部内のＭＡＣ-ｈｓ処理部の動作を示すフローチャートである。
【図８】本発明の第２の実施形態に係る無線基地局におけるベースバンド信号処理部内のＭＡＣ-ｈｓ処理部の動作を示すフローチャートである。
【図９】従来技術に係る無線基地局におけるベースバンド信号処理部内のＭＡＣ-ｈｓ処理部の動作を示すフローチャートである。
【図１０】従来技術に係るスケジューラおいて、受信ダイバーシチを使用する移動局の無線品質の変動が小さくなることを説明するための図である。
【符号の説明】
【０２０１】
１００…無線基地局
１０１…送受信アンテナ
１０２…アンプ部
１０３…送受信部
１０４…ベースバンド信号処理部
１０５…呼処理部
１０６…ＨＷＹインターフェース
１１１…レイヤ-１処理部
１１２…ＭＡＣ-ｈｓ処理部
１２０…フローコントロール部
１２１１、１２１２、１２１ｎ…フローコントロール
１３０…ＭＡＣ-ｈｓリソース計算部
１３１…ＭＡＣ-ＤＳＣＨパワーリソース計算部
１３２…ＭＡＣ-ＤＳＣＨコードリソース計算部
１３３…ＭＡＣ-ＤＳＣＨハードウエアリソース計算部
１４０…スケジューラ部
１４１１、１４１２、１４１ｎ…プライオリティキュー部
１４２１、１４２２、１４２ｎ…リオーダリング部
１４３１、１４３２、１４３ｎ…ＨＡＲＱ部
１５０…ＴＦＲ選択部
１５１１、１５１２、１５１ｎ…ＴＦＲ選択機能
１６０…パケット割当頻度計算部
１７０…平均値算出部
１８０…移動局伝送速度計算部
１９０…評価関数計算部
【図１】
2005191745.tif 000030
【図２】
2005191745.tif 000031
【図３】
2005191745.tif 000032
【図４】
2005191745.tif 000033
【図５】
2005191745.tif 000034
【図６】
2005191745.tif 000035
【図７】
2005191745.tif 000036
【図８】
2005191745.tif 000037
【図９】
2005191745.tif 000038
【図１０】
2005191745.tif 000039